(57)【要約】      （修正有）【課題】内容物の取出し操作が視覚的に容易であるヒンジキャップ付容器を提供する。【解決手段】容器本体１の口部２に装着されるヒンジキャップ３の頂壁４に注出口５が形成されると共に、注出口５に、ヒンジキャップ３の蓋体６に形成される嵌合筒１７が、開閉自在に係合するヒンジキャップ付容器において、  蓋体６は、ヒンジキャップ本体８に、ヒンジ９と引張帯１０で開閉自在に連結されると共に、ヒンジキャップ本体８の後部外筒１５には係合部１１が形成され、係合部１１と係脱自在に係合する係合部１２を、蓋体６の後部外壁１６に形成したことを特徴とするヒンジキャップ付容器。引張帯１０の作用によりヒンジキャップ３の蓋体６を、自動的に大きな角度で開くことができると共に、蓋体６をヒンジキャップ本体８に固定できるので、内容物の取出し操作が頗る見えやすい。【選択図】 図３
2008296935.tif 000002
【特許請求の範囲】
【請求項１】
容器本体の口部に装着されるヒンジキャップの頂壁に注出口が形成されると共に、該注出口に、ヒンジキャップの蓋体に形成される嵌合筒が、開閉自在に係合するヒンジキャップ付容器において、
前記蓋体は、ヒンジキャップ本体に、ヒンジと引張帯で開閉自在に連結されると共に、前記ヒンジキャップ本体の後部外筒には係合部が形成され、該係合部と係脱自在に係合する係合部を、前記蓋体の後部外壁に形成したことを特徴とするヒンジキャップ付容器。
【請求項２】
前記ヒンジキャップ本体の後部外筒に形成された係合部が係合突起であり、前記蓋体の後部外壁に形成される係合部が、係合溝であることを特徴とする請求項１記載のヒンジキャップ付容器。
【請求項３】
前記ヒンジキャップ本体の後部外筒に形成される係合部が係合溝であり、前記蓋体の後部外壁に形成される係合部が、係合突起であることを特徴とする請求項１記載のヒンジキャップ付容器。
【請求項４】
前記ヒンジキャップ本体の後部外筒に形成される係合部及び前記蓋体の後部外壁に形成される係合部が、ともに鉤状の係合部であることを特徴とする請求項１記載のヒンジキャップ付容器。
【請求項５】
前記ヒンジと引張帯とで連結された蓋体が、引張帯の作用により、自動的に１２０°以上の角度で開くと共に、該蓋体が開いた場合に、蓋体の後部外壁に形成される係合部が、ヒンジキャップ本体の後部外筒の係合部に係合して、蓋体がヒンジキャップ本体に固定されることを特徴とする請求項１〜４記載のヒンジキャップ付容器。
【発明の詳細な説明】
【技術分野】
【０００１】
本発明は、チューブ容器又はボトル容器の容器本体の口部に装着されるヒンジキャップに関し、さらに詳しくは、ヒンジキャップ本体の側面に、ヒンジキャップの蓋体が固定できるヒンジキャプ付容器に関する。
【背景技術】
【０００２】
従来、チューブ容器又はボトル容器の容器本体の口部には、ヒンジキャプが螺合等の方法で装着されており、片手の指でワンタッチで蓋体の開閉自在が可能であり、かつ開けた蓋体を固定できる機能を有するものがある。従来のヒンジキャップ付容器としては、図８〜図１１に示すヒンジキャップ付容器がある。ヒンジキャップ５０の本体は、容器本体５１の口部５２に螺合され、口部５２には、ヒンジキャップ５０の天面に形成されたフランジ部を有する注出口５８が嵌合されている。このフランジ部を有する注出口５８は、蓋体５４の係合筒５３により、内容物の取出し自在に閉鎖される。このヒンジキャップ５０は、本体と蓋体５４とから構成され、図１１に示すように、ヒンジキャップ５０の本体と蓋体５４は、ヒンジ５５のみで一体に連結されている。そして、ヒンジ５５の下方であって、ヒンジキャップ５０の本体の側面壁には、外方に突出した本体係止部５６が形成され、又蓋体５４の左右のヒンジ５５の間隙には、上方に突出した蓋係止部５７が形成されている。図８及び図１１に示すように、蓋体５４を開けると、フランジ５５を中心に蓋体５４は回転し、本体係止部５６と蓋係止部５７が係合する。そして、蓋体５４は本体係止部５６に係合し固定される（特許文献１参照）。
【特許文献１】特許第３３８７０３５号公報
【発明の開示】
【発明が解決しようとする課題】
【０００３】
しかし、従来のヒンジキャップ付容器は、以下に示すような問題点がある。
（１）図１１に示すように、左右のヒンジ５５の蓋体５４には、上方に突出した蓋係止部５７が形成され、又ヒンジ５５の下方のヒンジキャップ５０の本体の側面壁には、本体係止部５６が形成されているが、前記した蓋係止部５７と本体係止部５６を形成する関係上、金型の設計上、ヒンジキャップ５０の本体と蓋体５４の連結部に、ヒンジと引張帯を一体として形成することが不可能であるという欠点がある。
（２）ヒンジキャップ５０の本体と、蓋体５４を連結しているのは、ヒンジ５５のみであり、引張帯が設けられていないため、図９に示すように、最初に指で蓋体５４を上に持ち上げて開いた場合に、蓋体５４はわずか９０°程度（図９のα）に開くが、自動的に大きく開かないないため、蓋体５４が邪魔になり内容物の取出し操作が視覚的に十分に見えないという欠点がある。本発明は、このような課題に着目してなされたものであり、金型の設計上、ヒンジキャップ５０の本体と蓋体５４の連結部に、ヒンジと引張帯を一体的に設けることにより、ヒンジキャップの蓋体が、自動的に大きな角度で開くと共に、蓋体を、ヒンジキャップ本体の後部外筒に固定でき、内容物の取出し操作が視覚的に容易に見えるヒンジキャップ付容器を提供することを目的とする。
【課題を解決するための手段】
【０００４】
この課題を解決するため、請求項１記載の発明の解決手段は、容器本体の口部に装着されるヒンジキャップの頂壁に注出口が形成されると共に、注出口に、ヒンジキャップの蓋体に形成される嵌合筒が、開閉自在に係合するヒンジキャップ付容器において、蓋体は、ヒンジキャップ本体に、ヒンジと引張帯で開閉自在に連結されると共に、ヒンジキャップ本体の後部外筒には係合部が形成され、係合部と係脱自在に係合する係合部を、蓋体の後部外壁に形成したことを特徴とするヒンジキャップ付容器である。
【０００５】
請求項２記載の発明の解決手段は、ヒンジキャップ本体の後部外筒に形成された係合部が係合突起であり、蓋体の後部外壁に形成される係合部が、係合溝であることを特徴とするヒンジキャップ付容器である。
【０００６】
請求項３記載の発明の解決手段は、ヒンジキャップ本体の後部外筒に形成される係合部が係合溝であり、蓋体の後部外壁に形成される係合部が、係合突起であることを特徴とするヒンジキャップ付容器である。
【０００７】
請求項４記載の発明の解決手段は、ヒンジキャップ本体の後部外筒に形成される係合部及び蓋体の後部外壁に形成される係合部が、ともに鉤状の係合部であることを特徴とするヒンジキャップ付容器である。
【０００８】
請求項５記載の発明の解決手段は、ヒンジと引張帯とで連結された蓋体が、引張帯の作用により、自動的に１２０°以上の角度で開くと共に、蓋体が開いた場合に、蓋体の後部外壁に形成される係合部が、ヒンジキャップ本体の後部外筒の係合部に係合して、蓋体がヒンジキャップ本体に固定されることを特徴とするヒンジキャップ付容器。
【発明の効果】
【０００９】
本発明によれば、金型の設計上、ヒンジの近傍に、ヒンジと引張帯を連続的に形成することが可能であるから、引張帯の作用によりヒンジキャップの蓋体を、自動的に大きな角度で開くことができると共に、蓋体をヒンジキャップ本体に固定できるので、内容物の取出し操作が頗る見えやすいという効果を有する。また、本発明は、新しい装置を必要とすることなく、従来の金型設備で対応することができる効果を奏する。
【発明を実施するための最良の形態】
【００１０】
以下、本発明の実施例の一例を図面に基づいて説明する。
【実施例１】
【００１１】
図１は、本発明の実施例１を示す図面である。図１において、１は合成樹脂製のチューブ容器又はボトル容器である容器本体であり、圧搾可能な胴部から肩部を介して若干広口の口部２が形成され、口部２には雄ねじが形成されている。３はヒンジキャップであり、図１に示すように、ヒンジキャップ３は、ヒンジキャップ本体８と蓋体６とから構成され、ヒンジ９及び引張帯１０で開閉自在に連結されている。すなわち、蓋体６の外周縁に形成された外壁の後部外壁１６と、ヒンジキャップ本体８の外周縁に形成された外筒１５の後部外筒１５が、ヒンジ９と引張帯１０で開閉自在に連結されている。蓋体６とヒンジキャップ本体８は、一体成形で金型で成形される。
【００１２】
次に、ヒンジキャップ本体８の頂壁４の上方には、注出口５を起立すると共に、頂壁４の下方には、フランジ部１４が垂下され、チューブ容器又はボトル容器の口部２を閉鎖している。そして、口部２とヒンジキャップ３は、頂壁４から垂下される内筒１３の雌ねじ部を、口部２の雄ねじに螺合せしめ、又は他の実施態様として、口部２と内筒１３を、アンダーカット形式で、無理嵌合（図示せず）することにより固定されている。なお、頂壁４の外周縁の外筒１５は、容器本体１の肩部上に垂下されている。
【００１３】
実施例１において、ヒンジキャップ３のヒンジキャプ本体８の後部外筒１５には、係合突起１１ａが形成され、一方蓋体６の後部外壁１６には、係合溝１２ｂが形成されている。これにより、ヒンジキャップ３の蓋体６は、開状態時において、図４（図３のγ−γ線端面）に示すように、蓋体６の係合溝１２ｂが、ヒンジキャプ本体８の係合突起１１ａに係合することにより、蓋体６は、ヒンジキャップ本体８の後部外筒１５に確実に固定される。すなわち、本発明の特徴は、図３に示すように、ヒンジ９とその左右に引張体１０を連続して形成し、かつ蓋体３を自動的に大きく開いた後、蓋体３を、ヒンジキャップ本体８に固定することできる点にある。
【００１４】
このように、本発明は、金型の設計上、ヒンジキャップ本体８と蓋体６の連結において、従来のように連結部近傍に係合突起を形成しないので、ヒンジ９と並んで、引張帯１０を連続的に設けることができる。したがって、蓋体６を指で少し持ち上げるだけで、引張体１０の作用により、蓋体６は自動的に大きく開く。すなわち、最初に蓋体６を指で少し持ち上げると５〜４５°開き、次に引張体１０の蓋体６を上方向に強く引っ張る作用により、１２０〜１５５°開き、最終的に１８０〜２７０°（図３に示すβ）開き、かつ蓋体６がヒンジキャップ本体８に確実に固定される。したがって、内容物の取り出し作業を、容易に把握することができる。
【実施例２】
【００１５】
図２は、本発明の実施例２を示す図面である。実施例１と異なるのは、ヒンジキャップ３のヒンジキャプ本体８の後部外筒１５には、係合溝１１ｂが形成され、一方蓋体６の後部外壁１６には、係合突起１２ａが形成されている点である。図５（図３のγ−γ線端面）に示すように、蓋体６が開いた後、蓋体６の係合突起１２ａが、ヒンジキャプ本体８の係合溝１１ｂに係合することにより、蓋体６は、ヒンジキャップ本体８の後部外筒１５に確実に固定される。
【実施例３】
【００１６】
図６及び図７は、実施例３を示すもので、実施例１と異なるのは、ヒンジキャップ３のヒンジキャプ本体８の後部外筒１５及び蓋体６の後部外壁１６には、各々鉤状の係合片１３ａ、１３ｂが形成されている点である。図７は、蓋体６が開けられ、ヒンジキャプ本体８に固定された場合に、鉤状の係合片１３ａ、１３ｂが、各々係合している状態を示す端面図である。
【実施例４】
【００１７】
その他の実施例として、ヒンジキャップ本体８の外筒１５に形成された係合片と、チューブ容器又はボトル容器の肩部上に形成された係合片が、相互に乗り上げて係合するキャップの位置決め装置（公知技術）を有するチューブ容器又はボトル容器に、本発明を適用することもできる（図示せず）。
【産業上の利用可能性】
【００１８】
本発明に係るヒンジキャップ付容器は、広く化粧品、食品、医薬品等を充填できるチューブ容器、ボトル容器として、広く多岐にわたって利用することができる。
【図面の簡単な説明】
【００１９】
【図１】本発明に係るヒンジキャップ付容器の蓋体を閉めた状態の実施例１を示す断面図。
【図２】本発明に係るヒンジキャップ付容器の蓋体を閉めた状態の実施例２を示す断面。
【図３】本発明に係るヒンジキャップ付容器の蓋体を開いた状態を示す正面図。
【図４】本発明に係るヒンジキャップ付容器の実施例１を示す、図３のγ−γ線拡大端面図。
【図５】本発明に係るヒンジキャップ付容器の実施例２を示す、図３のγ−γ線拡大端面図。
【図６】本発明に係るヒンジキャップ付容器の実施例３を示す、図３のγ−γ線拡大端面図。
【図７】本発明に係るヒンジキャップ付容器の実施例３を示す、図３のγ−γ線拡大端面図。
【図８】従来のヒンジキャップ付容器において、蓋体を閉めた状態を示す断面図。
【図９】従来のヒンジキャップ付容器において、蓋体を開けた状態を示す断面図。
【図１０】従来のヒンジキャップ付容器の蓋体を開いた状態を示す右側面図。
【図１１】従来のヒンジキャップ付容器のヒンジの部位を示す拡大斜視図。
【符号の説明】
【００２０】
１  容器本体
２  口部
３  ヒンジキャップ
４  頂壁
５  注出口
６  蓋体
７  嵌合筒
８  ヒンジキャップ本体
９  ヒンジ
１０  引張帯
１１  係合部
１１ａ係合突起
１１ｂ係合溝
１２  係合部
１２ａ係合突起
１２ｂ係合溝
１３ａ鉤状の係合部
１３ｂ鉤状の係合部
【図１】
2008296935.tif 000003
【図２】
2008296935.tif 000004
【図３】
2008296935.tif 000005
【図４】
2008296935.tif 000006
【図５】
2008296935.tif 000007
【図６】
2008296935.tif 000008
【図７】
2008296935.tif 000009
【図８】
2008296935.tif 000010
【図９】
2008296935.tif 000011
【図１０】
2008296935.tif 000012
【図１１】
2008296935.tif 000013